(57)【要約】【課題】沈砂池に大量の沈砂が流入しても揚砂管内が閉塞等の不具合が生じない揚砂装置及び揚砂方法を提供する。【解決手段】先端部に吸込み口２が設けられ揚砂ポンプ６で揚砂する流路２０１ごとの揚砂管３と、揚砂管３に設けられ揚砂管３から吸込み口２までに洗浄水を供給する一又は複数の洗浄水供給管１１と、揚砂ポンプ６の吸引側に設けられ揚砂ポンプ６を締め切るポンプ締切弁７とを備える。【選択図】図１
2019042691.tif 000002
【特許請求の範囲】
【請求項１】
一又は複数の水路を有する沈砂池の沈砂を揚砂ポンプで吸引して揚砂する揚砂装置であって、
先端部に吸込み口が設けられ前記揚砂ポンプで揚砂する前記水路ごとの揚砂管と、
前記揚砂管に接続され前記揚砂管から前記吸込み口までに洗浄水を供給する洗浄水供給管とを備えることを特徴とする揚砂装置。
【請求項２】
前記洗浄水供給管は、前記揚砂管ごとに接続されていて、
前記洗浄水供給管ごとに設けられ当該洗浄水供給管を開閉する洗浄水弁と、
揚砂管ごとに設けられた池選択弁とを備え、
前記各洗浄水供給管が前記各揚砂管の前記池選択弁と前記吸込み口との間の区間に接続されていることを特徴とする請求項１に記載の揚砂装置。
【請求項３】
前記揚砂管は、１つの前記水路について複数設けられ同じ前記水路で吸込み高さが互いに異なることを特徴とする請求項１に記載の揚砂装置。
【請求項４】
前記吸込み口は、その高さを調節可能であることを特徴とする請求項１に記載の揚砂装置。
【請求項５】
前記揚砂管は、前記水路ごとに複数本設けられ、
前記各揚砂管にそれぞれ設けられ揚砂管を開閉する池選択弁とを備え、
前記水路ごとにおける複数本の前記揚砂管のうち一部は当該揚砂管の吸込み口の高さを調節可能であり、残りの一部は前記水路の揚砂ピット内の固定位置に吸込み口が位置していることを特徴とする請求項１に記載の揚砂装置。
【請求項６】
一又は複数の水路を有する沈砂池の沈砂を揚砂ポンプで吸引して揚砂する揚砂装置であって、
槽底形状が平坦式又はトラフ式の沈砂池に設けられ、
噴射水により沈砂を揚砂ピットに向けて移送する移送装置と、
抽気ポンプと渦巻きポンプとを組み合わせ前記揚砂ピットから前記沈砂を吸い上げる自吸式揚砂ポンプとを備えることを特徴とする揚砂装置。
【請求項７】
一又は複数の水路を有する沈砂池の沈砂を揚砂ポンプで吸引して揚砂する揚砂装置であって、
槽底形状が平坦式又はトラフ式の沈砂池に設けられ、
噴射水により沈砂を揚砂ピットに向けて移送する移送装置と、
水中式渦巻きポンプと吸込み口とを組み合わせてなり前記揚砂ピットから前記沈砂を吸い上げる揚砂ポンプと、
前記吸込み口に洗浄水を供給する洗浄水供給管とを備えることを特徴とする揚砂装置。
【請求項８】
一又は複数の水路を有する沈砂池の沈砂を揚砂ポンプで吸引して揚砂する揚砂方法であって、
先端部に吸込み口が設けられた揚砂管を介し前記揚砂ポンプで揚砂する揚砂工程と、
前記揚砂管ごとに設けられた洗浄水供給管により前記揚砂管から前記吸込み口までに洗浄水を供給する洗浄工程とを備えることを特徴とする揚砂方法。
【請求項９】
前記洗浄水供給管は、前記揚砂管ごとに接続されていて、
揚砂管ごと池選択弁が設けられ、
前記洗浄工程は、前記各揚砂管の前記池選択弁と前記吸込み口との間の区間に接続されている前記各洗浄水供給管で前記洗浄を行うことを特徴とする請求項８に記載の揚砂方法。
【請求項１０】
前記揚砂工程は、１つの前記水路について複数設けられ同じ前記水路で吸込み高さが互いに異なる前記揚砂管により行うことを特徴とする請求項８に記載の揚砂方法。
【請求項１１】
前記洗浄工程では、前記揚砂管の高さを高くするように調節してから行うことを特徴とする請求項８に記載の揚砂方法。
【請求項１２】
前記揚砂工程は、１つの前記水路について複数本設けられた前記揚砂管により行うことができ、
前記水路ごとにおける複数本の前記揚砂管のうち一部は当該揚砂管の前記吸込み口の高さを高く調節し、残りの一部は前記水路の揚砂ピット内の固定位置に維持することが可能であることを特徴とする請求項８に記載の揚砂方法。
【請求項１３】
一又は複数の水路を有する沈砂池の沈砂を揚砂ポンプで吸引して揚砂する揚砂方法であって、
槽底形状が平坦式又はトラフ式の沈砂池で、
噴射水により沈砂を揚砂ピットに向けて移送する移送工程と、
抽気ポンプと渦巻きポンプとを組み合わせた自吸式揚砂ポンプで前記揚砂ピットから前記沈砂を吸い上げる揚砂工程とを行うことを特徴とする揚砂方法。
【請求項１４】
一又は複数の水路を有する沈砂池の沈砂を揚砂ポンプで吸引して揚砂する揚砂方法であって、
槽底形状が平坦式又はトラフ式の沈砂池で、
噴射水により沈砂を揚砂ピットに向けて移送する移送工程と、
水中式渦巻きポンプと吸込み口とを組み合わせてなる揚砂ポンプで前記揚砂ピットから前記沈砂を吸い上げる揚砂工程と、
前記吸込み口に洗浄水を供給して洗浄する洗浄工程とを行うことを特徴とする揚砂方法。
【発明の詳細な説明】
【技術分野】
【０００１】
本発明は、揚砂装置及び揚砂方法に関する。
【背景技術】
【０００２】
本技術分野の背景技術として、特開平２０００−７０６１４号公報（特許文献１）がある。この公報には、「沈砂池の集砂留槽内に、揚砂用の渦流ポンプを昇降可能に配設し、この渦流ポンプによる揚砂管内の圧力及び流速を検出し、検出した圧力値及び流速値とそれぞれの設定値とを比較して、過流ポンプの昇降動作を制御するようにする。」と記載されている（要約参照）。
【０００３】
別の背景技術として、特開平２００２−２８２６１０号公報（特許文献２）がある。この公報には、「槽底に設けた集砂ピットに沈砂を集め、吸込み口を集砂ピット内に臨ませた揚砂ポンプで沈砂を排出する沈砂池の集砂装置であって、沈砂の溜まる集砂ピットの底部を複数のゾーンに区画するように仕切りを設け、揚砂ポンプの吸込み口のある方向へ沈砂を寄せる水噴出用のノズルを前記ゾーンに配置する沈砂池の集砂装置。」と記載されている（要約参照）。
【先行技術文献】
【特許文献】
【０００４】
【特許文献１】特開２０００−７０６１４号公報
【特許文献２】特開２００２−２８２６１０号公報
【発明の概要】
【発明が解決しようとする課題】
【０００５】
特許文献１，２に例示される従来の沈砂池におけるポンプ式揚砂では、サンドポンプを水中に設置して揚砂する方式である。そのため、沈砂池に大量の沈砂が流入したときには、沈砂を吸い上げる揚砂管内が閉塞し、あるいは、サンドポンプが沈砂によって埋設されてしまう。
これに対して、サンドポンプは内部への浸水への対応としてメカニカルシールを用いているため、構造上、逆転して運転することを推奨されておらず、揚砂管内の逆流洗浄は困難であるという課題がある。
そこで、本発明は、沈砂池に大量の沈砂が流入しても揚砂管内が閉塞等の不具合を生じさせ難い揚砂装置及び揚砂方法を提供する。
【課題を解決するための手段】
【０００６】
上記課題を解決するため、本発明の一形態は、一又は複数の水路を有する沈砂池の沈砂を揚砂ポンプで吸引して揚砂する揚砂装置であって、先端部に吸込み口が設けられ前記揚砂ポンプで揚砂する前記水路ごとの揚砂管と、前記揚砂管に接続され前記揚砂管から前記吸込み口までに洗浄水を供給する洗浄水供給管とを備えることを特徴とする。
【０００７】
別の本発明の一形態は、一又は複数の水路を有する沈砂池の沈砂を揚砂ポンプで吸引して揚砂する揚砂方法であって、先端部に吸込み口が設けられた揚砂管を介し前記揚砂ポンプで揚砂する揚砂工程と、前記揚砂管ごとに設けられた洗浄水供給管により前記揚砂管から前記吸込み口までに洗浄水を供給する洗浄工程とを備えることを特徴とする。
【発明の効果】
【０００８】
本発明によれば、沈砂池に大量の沈砂が流入しても揚砂管内が閉塞等の不具合を生じさせ難い揚砂装置及び揚砂方法を提供することができる。
上記した以外の課題、構成及び効果は、以下の実施形態の説明により明らかにされる。
【図面の簡単な説明】
【０００９】
【図１】本発明の実施例１に係る揚砂装置の構成を示す系統図である。
【図２】本発明の実施例２に係る揚砂装置の構成を示す系統図である。
【図３】本発明の実施例３に係る揚砂装置の構成を示す系統図である。
【図４Ａ】本発明の実施例４に係る揚砂装置の構成を示す系統図である。
【図４Ｂ】本発明の実施例４に係る揚砂装置の構成を示す系統図である。
【図４Ｃ】本発明の実施例４に係る揚砂装置の構成を示す系統図である。
【図５Ａ】本発明の実施例５に係る揚砂装置の構成を示す系統図である。
【図５Ｂ】本発明の実施例５に係る揚砂装置の構成を示す系統図である。
【図５Ｃ】本発明の実施例５に係る揚砂装置の構成を示す系統図である。
【図６】本発明の実施例６に係る揚砂装置の構成を示す系統図である。
【図７】本発明の実施例７に係る揚砂装置の構成を示す系統図である。
【図８】本発明の実施例８に係る揚砂装置の構成を示す断面図である。
【図９】本発明の実施例８に係る揚砂装置の構成を示す断面図である。
【図１０】本発明の実施例８に係る揚砂装置の構成を示す断面図である。
【図１１Ａ】本発明の実施例８に係る揚砂装置の構成を示す断面図である。
【図１１Ｂ】本発明の実施例８に係る揚砂装置の構成を示す断面図である。
【図１２】本発明の実施例９に係る揚砂装置の構成を示す系統図である。
【発明を実施するための形態】
【００１０】
以下、本発明の実施例について図面を用いて説明する。
各図面の弁で黒塗りされている弁は閉じていることを示し、白抜きのものは弁が開いていることを示す。
【実施例１】
【００１１】
図１は、本発明の実施例１に係る揚砂装置１の構成を示す系統図である。揚砂装置１は沈砂池（図示せず）などに設置される。沈砂池は、一又は複数の流路２０１を有し、各流路２０１には沈砂池の沈砂２０３を集めて吸い上げるための揚砂ピット２０２を備えている。本実施例１（実施例２〜実施例７についても同様）において図示しないが、集砂方式は、平坦式（各種あり）でもトラフ式でも何れでもよい（これら平坦式やトラフ式の集砂方式については、後述の実施例８において説明する）。
【００１２】
各揚砂ピット２０２には、一端側の先端部に吸込み口（ベルマウス）２が設けられた揚砂管３が差し込まれていて、複数本の揚砂管３の他端側は揚砂ポンプ６に並列接続されている。このとき複数本の揚砂管３が合流した一本の揚砂管５は揚砂ポンプ６の吸引側に接続され、揚砂管５には電動式のポンプ締切弁７が設けられている。なお、揚砂ポンプ６は陸上に設置されている。各揚砂管３にはそれぞれ電動式の池選択弁１３が設けられている。揚砂ポンプ６の吐出側には、沈砂供給管８の一端が接続されている。沈砂供給管８には、揚砂ポンプ６側に逆止弁９が設けられた開閉弁１０が設けられている。沈砂供給管８の他端側は図示しない下流側設備に延びていて、当該下流側設備で沈砂２０３を処理する。
揚砂管３には、洗浄水供給管１１の一端が接続され、洗浄水供給管１１には電動式の洗浄水弁１２が設けられている。洗浄水供給管１１の他端側からは洗浄水が各揚砂管３に供給される。
【００１３】
次に、揚砂装置１の作用効果について説明する。揚砂ピット２０２から沈砂２０３を吸い上げるときには、ポンプ締切弁７を開いて揚砂ポンプ６を駆動する。沈砂２０３の吸い上げを行う流路２０１は池選択弁１３の開閉により選択する。池選択弁１３が開かれた流路２０１の揚砂ピット２０２では、揚砂ポンプ６の駆動により吸込み口２から揚砂ピット２０２中の水とともに沈砂２０３が吸い上げられ、開閉弁１０を開くことで、揚砂管３及び沈砂供給管８を介して、沈砂２０３が下流側設備に送られる。この沈砂２０３は当該下流側設備で処理される。
【００１４】
ここで、多量の沈砂２０３等の揚砂管３への流入による揚砂管３内の閉塞や揚砂ピット２０２での沈砂２０３による吸込み口２の埋没が生じた場合には、洗浄水を供給する。すなわち、洗浄水弁１２を開き、池選択弁１３の開閉により流路２０１を選択することで、図１に矢印で示すように、洗浄水供給管１１を介して当該流路２０１の揚砂管３から吸込み口２にかけて洗浄水が供給され、揚砂管３の閉塞や吸込み口２の埋没が解消する。この場合に、揚砂管３の閉塞等を解消するために揚砂ポンプ６逆転して運転する必要がないので、揚砂ポンプ６のメカニカルシールを劣化させることはない。なお、この場合に、本実施例では洗浄水が揚砂ポンプ６側に流れないようにポンプ締切弁７を閉じておく。
【実施例２】
【００１５】
以下に説明する各実施例において、実施例１と共通の部材等は同一符号を用い、詳細な説明は省略する。
【００１６】
図２は、本発明の実施例２に係る揚砂装置２１の構成を示す系統図である。揚砂装置２１が揚砂装置１と異なるのは、揚砂管３ごとに洗浄水供給管１１が接続され、各洗浄水供給管１１に洗浄水弁１２が設けられていることである。また、各洗浄水供給管１１は各揚砂管３の池選択弁１３と吸込み口２との間の区間に接続されている。そして、ポンプ締切弁７は設けられていない。
【００１７】
次に、揚砂装置２１の作用効果について説明する。揚砂ピット２０２から沈砂２０３を吸い上げる処理は、実施例１の場合と同様である。洗浄水を供給するためには、供給先の揚砂管３を、洗浄水弁１２を開くことで選択し、洗浄水供給管１１を介して洗浄水を供給する。これにより、図２に矢印で示すように、洗浄水供給管１１が接続されている位置より先端側の揚砂管３及び吸込み口２が洗浄水で洗浄される。なお、洗浄水を供給する揚砂管３の池選択弁１３を閉じれば洗浄水は揚砂ポンプ６側に流入することはないので、ポンプ締切弁７は設ける必要がない。
本実施例２によれば、一方の流路２０１で揚砂管３及び吸込み口２の洗浄を行うのと並行して、他方の流路２０１で沈砂２０３の吸引を行うことも可能となる。
【実施例３】
【００１８】
図３は、本発明の実施例３に係る揚砂装置３１の構成を示す系統図である。揚砂装置３１が揚砂装置１と異なるのは、先端部に吸込み口２が設けられた複数の揚砂管３が流路２０１ごとに設けられ、同じ流路２０１で各吸込み口２は（図３で、吸込み口２ａと吸込み口２ｂ）、吸込み高さが互いに異なることである。池選択弁１３は全ての揚砂管３に設けられている。なお、図３では、符号２ａの吸込み口２が揚砂ピット２０２の中に入り込むように、一方、符号２ｂの吸込み口２は、流路２０１の液面２０４近くに、それぞれ設置されている。
【００１９】
次に、揚砂装置３１の作用効果について説明する。本実施例３によれば、各流路２０１において、吸込み口２ａと吸込み口２ｂとのうち、吸込み口２ａは揚砂ピット２０２の低い位置に存在しているので、多量の沈砂２０３等の流入があったときは揚砂管３が閉塞したり、あるいは、吸込み口２ａが埋没しやすい。この場合は、洗浄水弁１２と、吸込み口２ａに対応した池選択弁１３を開き、ポンプ締切弁７を閉じて、吸込み口２ａに対応した揚砂管３を洗浄水で洗浄し、吸込み口２ａの閉塞を解消する。一方、吸込み口２ｂは揚砂ピット２０２の上部に位置しているので、閉塞し難い。そこで、この場合は、洗浄水弁１２を閉じ、ポンプ締切弁７を開いて、吸込み口２ｂに対応する池選択弁１３を開き、吸込み口２ｂで沈砂を図３中に矢印で示すように吸引するようにすれば、吸込み口２ｂに対応した揚砂管３は閉塞し難いし、吸込み口２ｂは埋没し難い。すなわち、吸込み口２ｂは吸込み口２ａが埋没した際の非常用の吸込み口であり、多量の沈砂２０３等の流入があっても沈砂２０３の吸い上げを問題なく行うことができる。もちろん、符号２ｂの吸込み口２も、洗浄水によって洗浄可能である。
【００２０】
これに対して、従来は、多量の沈砂２０３等の流入があって揚砂管３が閉塞したとき等は、一度、吸込み口２を水面上に引き上げて洗浄を行い、その後、吸込み口２を揚砂ピット２０２の水中の浅い所に位置させて、再度、沈砂２０３の吸込み作業を行うという煩雑な作業を行っていた。
よって、本実施例３によれば、多量の沈砂２０３等の流入があっても、従来のような煩雑な作業を省略することができる。
【実施例４】
【００２１】
図４Ａ〜図４Ｃは、本発明の実施例４に係る揚砂装置４１の構成を示す系統図である。なお、図面が煩雑とならないように、流路２０１及び揚砂ピット２０２は１つのみを図示している。
図４Ａに示すように、本実施形態４が実施形態１と異なるのは、揚砂管３の一部が可撓性の管３ａで形成されていて、揚砂ピット２０２の上部にフック４２が設けられていることと、揚砂管３に揚砂管３をフック４２に掛けるための係合部４３が形成されていることである。
【００２２】
次に、揚砂装置４１の作用効果について説明する。揚砂管３の一部が可撓性の管３ａで形成されているので、図４Ｂに示すように、揚砂管３は管３ａで曲がり、揚砂管３の係合部４３が設けられている位置を高くして、フック４２に架けることができる。これにより、揚砂管３の先端部に設けられている吸込み口２の高さが高くなるように調節することができる。
【００２３】
揚砂ピット２０２に多量の沈砂２０３等の流入があったときは、揚砂管３の閉塞や吸込み口２埋没が生じることがある（図４Ａ）。この場合には、揚砂管３を持ち上げ、係合部４３をフック４２に架けることで、吸込み口２の位置を高くして、揚砂ピット２０２（流路２０１）水面２０４に近い位置まで上昇させて固定することができる（図４Ｂ）。この状態で、図４Ｃに示すように、洗浄水弁１２を開き、ポンプ締切弁７を閉じて、吸込み口２や揚砂管３を洗浄水で洗浄する。これにより、これらの閉塞状態を解消して、再度、揚砂ピット２０２の水面２０４に近い位置で沈砂２０３の吸込みを再開することができる。
本実施例４によれば、簡易な手段により、吸込み口２や揚砂管３の閉塞状態を解消し、これらの閉塞状態が起こりにくい揚砂ピット２０２の上部で沈砂２０３の吸込みを再開することができる。
【実施例５】
【００２４】
図５Ａ〜図５Ｃは、本発明の実施例５に係る揚砂装置５１の構成を示す系統図である。なお、図５Ａ〜図５Ｃにおいても、図面が煩雑とならないように、流路２０１及び揚砂ピット２０２は１つのみを図示している。
【００２５】
本実施例５の揚砂装置５１は実施例４の変形例である。よって、実施例４と共通の部材等には実施例４と同一の符号を用い、詳細な説明は省略する。本実施例５が実施例４と相違するのは、１つは、揚砂管３の係合部４３より先端側の部分も可撓性の管３ｂで形成されていて、吸込み口２も管３ｂになっていることである。もう一つは、揚砂ピット２０２に固定された長手方向を上下方向とするガイドパイプ５２内に管３ｂが挿通していて、ガイドパイプ５２にガイドされて管３ｂ（吸込み口２）が上下に摺動自在となっていることである。ガイドパイプ５２は、流路２０１に所定の支持部材２０５で支持されている。
【００２６】
次に、揚砂装置５１の作用効果について説明する。揚砂ピット２０２に多量の沈砂２０３等の流入があったときは、揚砂管３が閉塞し、管３ｂの先端部からなる吸込み口が埋没することがある（図５Ａ）。この場合には、揚砂管３を持ち上げ、係合部４３をフック４２に架けることで、管３ｂはガイドパイプ５２内を摺動して上側に移動し、管３ｂの先端部からなる吸込み口は揚砂ピット２０２の水面近くまで移動する（図５Ｂ）。この状態で図５Ｃに示すように洗浄水弁１２を開き、ポンプ締切弁７を閉じて、管３ｂの先端部からなる吸込み口や揚砂管３を洗浄水で洗浄する。これにより、これらの閉塞状態等を解消して、再度、揚砂ピット２０２の水面２０４に近い位置で沈砂２０３の吸込みを再開することができる。
本実施形態５によっても、簡易な手段により、管３ｂの先端部からなる吸込み口や揚砂管３の閉塞状態を解消し、これらの閉塞状態が起こりにくい揚砂ピット２０２の上部で沈砂２０３の吸込みを再開することができる。
【実施例６】
【００２７】
図６は、本発明の実施例６に係る揚砂装置６１の構成を示す系統図である。本実施例６は、実施例３に実施例４の構成を組み合わせたものである。そのため、実施例３及び実施例４と共通の部材については、実施例３及び実施例４と共通の符号を用い、詳細な説明は省略する。
【００２８】
本実施例６では、各揚砂ピット２０２において、吸込み口２ａ及びこれに接続されている揚砂管３は実施例３と同様であり、吸込み口２ａは、揚砂ピット内の固定位置に位置している。一方、吸込み口２ｂ及びこれに接続されている揚砂管３は実施例４と同様であり、揚砂管３の池選択弁１３の先の一部は可撓性の管３ａであり、係合部４３が設けられている。そして、揚砂ピット２０２の上部にはフック４２が設けられている。
次に、揚砂装置６１の作用効果について説明する。普段は、吸込み口２ａも吸込み口２ｂも揚砂ピット２０２内の深い場所に位置させ、吸込み口２ａ及び吸込み口２ｂの両方から沈砂２０３を吸引してもよいし、これらの一方だけから、沈砂２０３を吸引してもよい。
【００２９】
そして、揚砂ピット２０２に多量の沈砂２０３等の流入があったときは、揚砂管３が閉塞し、吸込み口２ａ及び吸込み口２ｂが埋没することがある。この場合は、係合部４３をフック４２に掛けて、吸込み口２ｂを揚砂ピット２０２の水面近くまで移動させる。この状態で、吸込み口２ａに対応する池選択弁１３及びポンプ締切弁７を閉じ、洗浄水弁１２及び吸込み口２ｂに対応する池選択弁１３を開く。これにより、吸込み口２ｂ及びこれに接続されている揚砂管３を洗浄水で洗浄して、これらの閉塞等を解消する。次に、洗浄水弁１２及び吸込み口２ａに対応する池選択弁１３は閉じ、ポンプ締切弁７及び吸込み口２ｂに対応する池選択弁１３は開く、これにより、吸込み口２ｂから揚砂ピット２０２の上部で沈砂２０３を吸引することが可能となる。よって、揚砂管３の閉塞や、吸込み口２ｂの埋没を生じにくくすることができる。
【実施例７】
【００３０】
図７は、本発明の実施例７に係る揚砂装置７１の構成を示す系統図である。本実施例７は、実施例３に実施例５の構成を組み合わせたものである。そのため、実施例３及び実施例５と共通の部材については、実施例３及び実施例５と共通の符号を用い、詳細な説明は省略する。
【００３１】
本実施例７では、各揚砂ピット２０２において、吸込み口２ａ及びこれに接続されている揚砂管３は実施例３と同様であり、吸込み口２ａは、揚砂ピット２０２内の固定位置に位置している。一方、吸込み口２ｂ（後記の管３ｂの先端部）及びこれに接続されている揚砂管３は実施例５と同様であり、揚砂管３の池選択弁１３の先の一部は可撓性の管３ａであり、係合部４３が設けられている。そして、揚砂ピット２０２の上部にはフック４２が設けられている。さらに、揚砂管３の係合部４３より先端側の部分も可撓性の管３ｂで形成されていて、吸込み口２ｂも管３ｂの先端部になっている。また、揚砂ピット２０２に固定された長手方向を上下方向とするガイドパイプ５２内に管３ｂが挿通していて、ガイドパイプ５２にガイドされて上下に摺動自在となっている
次に、揚砂装置７１の作用効果について説明する。普段は、吸込み口２ａも吸込み口２ｂも揚砂ピット２０２内の深い場所に位置させ、吸込み口２ａ及び吸込み口２ｂの両方から沈砂２０３を吸引してもよいし、これらの一方だけから、沈砂２０３を吸引してもよい。
【００３２】
そして、揚砂ピット２０２に多量の沈砂２０３等の流入があったときは、吸込み口２ａ及び吸込み口２ｂや揚砂管３が閉塞することがある。この場合は、係合部４３をフック４２に掛けて、管３ａの先端部である吸込み口２ｂを揚砂ピット２０２の水面２０４近くまで移動させる。この状態で、吸込み口２ａに対応する池選択弁１３及びポンプ締切弁７を閉じ、洗浄水弁１２及び吸込み口２ｂに対応する池選択弁１３を開く。これにより、揚砂管３及び吸込み口２ｂを洗浄し、揚砂管３の閉塞を解消して、吸込み口２ｂの埋没も解消する。次に、洗浄水弁１２及び吸込み口２ａに対応する池選択弁１３は閉じ、ポンプ締切弁７及び吸込み口２ｂに対応する池選択弁１３は開く、これにより、管３ａの先端部である吸込み口２ｂから揚砂ピット２０２の上部で沈砂２０３を吸引することが可能となる。
【実施例８】
【００３３】
図８〜図１１は、本発明の実施例８に係る揚砂装置８１の構成を示す断面図である。図８〜図１１の各構成は本実施例の集砂方式を示している。図８〜図１０は、集砂方式が平坦式であり、図１１Ａ及び図１１Ｂに示すものは、トラフ式である。図８の構成と図９の構成は平坦式の中でも槽底８２が勾配状のものであり、図１０は階段状のものである。また、図８及び図９のものは、槽底８２が揚砂ピット２０２に向けて下り勾配している。図８のものは槽底８２の上部に並ぶ水噴射装置８３で槽底８２上の砂を流し、揚砂ピット２０２に移送するノズル集砂式である。図９のものは、槽底８２に水噴射装置８４が設けられ、矢印に示すように揚砂ピット２０２に向けて（下り勾配に沿うように）水を噴射し、砂を揚砂ピット２０２に移送するノズル集砂式である。図１０の構成は、槽底８２が揚砂ピット２０２に向けて下り階段状であり、各段に水噴射装置８４が設けられ、矢印に示すように揚砂ピット２０２に向けて水を噴射し、砂を揚砂ピット２０２に移送するノズル集砂式である。図１１Ｂは図１１ＡのＡ−Ａ断面図であり、当該断面図に示すように槽底８２はトラフ式である。すなわち、図１１Ａの例は、図９の例と槽底８２と同形状に見えるが、図１１Ａの槽底８２は、図１１Ｂに示すような形状をしている。そして、このトラフ状の槽底８２に水噴射装置８４が設けられ、揚砂ピット２０２に向けて水を噴射し、砂を揚砂ピット２０２に移送するノズル集砂式である。なお、図８〜図１０の例では、沈砂池上の床２０６等に揚砂ポンプ６が設置されている。また、図９、図１０の例では、水面２０４が槽底８２より高くても集砂できるが、図８の例では、沈砂池の水を抜いてから集砂することとなる。
【００３４】
本実施例では、集砂方式として図８〜図１１に示す何れの方式を用いてもよい。
本実施例８の揚砂装置８１が前記各実施例と異なるのは、揚砂ポンプ６が、抽気ポンプと渦巻きポンプとを組み合わせ、揚砂ピット２０２から沈砂を吸い上げる自吸式揚砂ポンプであることである。
【００３５】
本実施例８によれば、揚砂ポンプ６は、自吸式揚砂ポンプを用いることで、メインテナンスが容易であり、最小台数の揚砂ポンプ６で複数の沈砂池において兼用することができる。また、この揚砂ポンプ６は、抽気ポンプと渦巻きポンプとを組み合わせている。すなわち、通常の自吸式揚砂ポンプである渦巻きポンプの他に抽気ポンプも組み合わせている。そのため、流路２０１の水位が低くて、沈砂２０３や水の他に空気が巻き込まれて吸込み口２から吸引されても、その空気は抽気ポンプで吐出することで、揚砂ポンプ６を正常に運転することができる。
【実施例９】
【００３６】
図１２は、本発明の実施例９に係る揚砂装置９１の構成を示す系統図である。
図示はしないが、本実施例９における集砂方式は、実施例１〜８と同様の平坦式（勾配状又は階段状）又はトラフ式である。そして、実施例８と同様、噴射水により沈砂２０３を移送するノズル集砂式を用いている。また、揚砂ピット２０２の形状は、実施例１〜実施例７で図示したものと同様である。
本実施例９が実施例１と異なるのは、揚砂ポンプとして、サンドポンプ（水中式渦巻きポンプ）９２と吸込み口（ベルマウス）９３を組み合わせた揚砂ポンプを使用していることである。
そして、本実施例９では、実施例２と同様、各流路２０１に対応して、洗浄水供給管１１及び洗浄水弁１２を設けているが、洗浄水供給管１１は吸込み口９３に接続している。
【００３７】
次に、揚砂装置９１の作用効果について説明する。揚砂ピット２０２から沈砂２０３を吸い上げる処理は、実施例１の場合と同様である。洗浄水を供給するためには、供給先の吸込み口９３を、洗浄水弁１２を開くことで選択し、洗浄水供給管１１を介して洗浄水を供給する。これにより、洗浄水供給管１１が接続されている吸込み口９３が洗浄水で洗浄される。
本実施例９によれば、一方の流路２０１で揚砂管３及び吸込み口２の洗浄を行うのと並行して、他方の流路２０１で沈砂２０３の吸引を行うことが可能となる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
例えば、フック４２で吊り上げる実施例４〜実施例７の例では、吸込み口２の上下動を複数回繰り返すことで揚砂管３内のつまりを解消するようにしてもよい。
【符号の説明】
【００３９】
１，２１，３１，４１，５１，６０，７１，８１，９１  揚砂装置
２，２ａ，２ｂ  吸込み口
３      揚砂管
６      揚砂ポンプ
７      ポンプ締切弁
１１    洗浄水供給管
１２    洗浄水弁
１３    池選択弁
８２    槽底
８４    水噴射装置
２０１  水路
２０３  沈砂
２０４  水面
【図１】
2019042691.tif 000003
【図２】
2019042691.tif 000004
【図３】
2019042691.tif 000005
【図４Ａ】
2019042691.tif 000006
【図４Ｂ】
2019042691.tif 000007
【図４Ｃ】
2019042691.tif 000008
【図５Ａ】
2019042691.tif 000009
【図５Ｂ】
2019042691.tif 000010
【図５Ｃ】
2019042691.tif 000011
【図６】
2019042691.tif 000012
【図７】
2019042691.tif 000013
【図８】
2019042691.tif 000014
【図９】
2019042691.tif 000015
【図１０】
2019042691.tif 000016
【図１１Ａ】
2019042691.tif 000017
【図１１Ｂ】
2019042691.tif 000018
【図１２】
2019042691.tif 000019
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
一又は複数の水路を有する沈砂池の沈砂を揚砂ポンプで吸引して揚砂する揚砂装置であって、
先端部に吸込み口が設けられ前記揚砂ポンプで揚砂する前記水路ごとの揚砂管と、
前記揚砂管に接続され前記揚砂管から前記吸込み口までに洗浄水を供給する洗浄水供給管と、
前記洗浄水供給管ごとに設けられ当該洗浄水供給管を開閉する洗浄水弁と、
揚砂管ごとに設けられた池選択弁とを備え、
前記洗浄水供給管は、前記揚砂管ごとに接続されていて、
前記各洗浄水供給管が前記各揚砂管の前記池選択弁と前記吸込み口との間の区間に接続されていて、
前記揚砂管は、１つの前記水路について複数設けられ同じ前記水路で吸込み高さが互いに異なることを特徴とする揚砂装置。
【請求項２】
前記吸込み口は、その高さを調節可能であることを特徴とする請求項１に記載の揚砂装置。
【請求項３】
前記揚砂管は、前記水路ごとに複数本設けられ、
前記各揚砂管にそれぞれ設けられ揚砂管を開閉する池選択弁とを備え、
前記水路ごとにおける複数本の前記揚砂管のうち一部は当該揚砂管の吸込み口の高さを調節可能であり、残りの一部は前記水路の揚砂ピット内の固定位置に吸込み口が位置していることを特徴とする請求項１に記載の揚砂装置。
【請求項４】
一又は複数の水路を有する沈砂池の沈砂を揚砂ポンプで吸引して揚砂する揚砂方法であって、
先端部に吸込み口が設けられた揚砂管を介し前記揚砂ポンプで揚砂する揚砂工程と、
前記揚砂管ごとに設けられた洗浄水供給管により前記揚砂管から前記吸込み口までに洗浄水を供給する洗浄工程とを備え、
前記洗浄水供給管は、前記揚砂管ごとに接続されていて、
揚砂管ごと池選択弁が設けられ、
前記洗浄工程は、前記各揚砂管の前記池選択弁と前記吸込み口との間の区間に接続されている前記各洗浄水供給管で洗浄を行い、
前記揚砂工程は、１つの前記水路について複数設けられ同じ前記水路で吸込み高さが互いに異なる前記揚砂管により行うことを特徴とする揚砂方法。
【請求項５】
前記洗浄工程では、前記揚砂管の高さを高くするように調節してから行うことを特徴とする請求項４に記載の揚砂方法。
【請求項６】
前記揚砂工程は、１つの前記水路について複数本設けられた前記揚砂管により行うことができ、
前記水路ごとにおける複数本の前記揚砂管のうち一部は当該揚砂管の前記吸込み口の高さを高く調節し、残りの一部は前記水路の揚砂ピット内の固定位置に維持することが可能であることを特徴とする請求項４に記載の揚砂方法。
【手続補正２】
【補正対象書類名】明細書
【補正対象項目名】０００６
【補正方法】変更
【補正の内容】
【０００６】
上記課題を解決するため、本発明の一形態は、一又は複数の水路を有する沈砂池の沈砂を揚砂ポンプで吸引して揚砂する揚砂装置であって、先端部に吸込み口が設けられ前記揚砂ポンプで揚砂する前記水路ごとの揚砂管と、前記揚砂管に接続され前記揚砂管から前記吸込み口までに洗浄水を供給する洗浄水供給管と、前記洗浄水供給管ごとに設けられ当該洗浄水供給管を開閉する洗浄水弁と、揚砂管ごとに設けられた池選択弁とを備え、前記洗浄水供給管は、前記揚砂管ごとに接続されていて、前記各洗浄水供給管が前記各揚砂管の前記池選択弁と前記吸込み口との間の区間に接続されていて、前記揚砂管は、１つの前記水路について複数設けられ同じ前記水路で吸込み高さが互いに異なることを特徴とする。
【手続補正３】
【補正対象書類名】明細書
【補正対象項目名】０００７
【補正方法】変更
【補正の内容】
【０００７】
別の本発明の一形態は、一又は複数の水路を有する沈砂池の沈砂を揚砂ポンプで吸引して揚砂する揚砂方法であって、先端部に吸込み口が設けられた揚砂管を介し前記揚砂ポンプで揚砂する揚砂工程と、前記揚砂管ごとに設けられた洗浄水供給管により前記揚砂管から前記吸込み口までに洗浄水を供給する洗浄工程とを備え、前記洗浄水供給管は、前記揚砂管ごとに接続されていて、揚砂管ごと池選択弁が設けられ、前記洗浄工程は、前記各揚砂管の前記池選択弁と前記吸込み口との間の区間に接続されている前記各洗浄水供給管で洗浄を行い、前記揚砂工程は、１つの前記水路について複数設けられ同じ前記水路で吸込み高さが互いに異なる前記揚砂管により行うことを特徴とする。